(57)【要約】【課題】放送受信装置において、チャンネル選択の操作性の向上を図る一方で、未契約の有料チャンネルが一律に切り替え不可能となることを防止して、使い勝手を向上させる。【解決手段】チャンネルメモリは、チャンネル毎に選局可能か否かを識別する選局識別情報と視聴可能か否かを識別する視聴識別情報とを含むチャンネル情報を記憶し、選局手段は選局識別情報に基づいて選局可能なチャンネルの中からチャンネルを選局し、判断手段は、選局されたチャンネルの番組コンテンツが視聴可能か否かを視聴識別情報に基づいて判断し、選択手段は、視聴不可能と判断された番組コンテンツのチャンネルについて選局不可能とするか否かをユーザに選択させ、変更手段は、視聴不可能と判断されたチャンネルについて、選局不可能とすると選択された場合に、チャンネル情報における当該チャンネルの選局識別情報を選局可能から選局不可能に変更する。【選択図】図１
2009141422.tif 000002
【特許請求の範囲】
【請求項１】
チャンネル毎に選局可能か否かを識別する選局識別情報と視聴可能か否かを識別する視聴識別情報とを含むチャンネル情報を記憶する記憶手段と、
前記記憶手段より記憶された前記チャンネル情報の前記選局識別情報に基づいて、選局可能なチャンネルの中からチャンネルを選局する選局手段と、
前記選局手段により選局されたチャンネルの放送信号を受信する受信手段と、
前記選局手段により選局されたチャンネルの番組コンテンツが視聴可能か否かを、前記視聴識別情報に基づいて判断する判断手段と、
前記判断手段により視聴不可能と判断された番組コンテンツのチャンネルについて、選局不可能とするか否かをユーザに選択させる選択手段と、
前記判断手段により前記視聴不可能と判断された番組コンテンツのチャンネルについて、前記選択手段により選局不可能とすると選択された場合に、前記記憶手段により記憶された前記チャンネル情報における当該チャンネルの前記選局識別情報を、選局可能から選局不可能に変更する変更手段と、
を備えることを特徴とする放送受信装置。
【請求項２】
前記受信手段により受信される放送信号における所定のデータに基づいて、前記記憶手段により記憶された前記チャンネル情報における前記視聴識別情報を更新する更新手段を備え、
前記変更手段は、前記更新手段により前記視聴識別情報が視聴可能と更新されたチャンネルについて、当該チャンネルの前記選局識別情報を選局不可能から選局可能に変更することを特徴とする請求項１に記載の放送受信装置。
【請求項３】
チャンネル毎に選局可能か否かを識別する選局識別情報と視聴可能か否かを識別する視聴識別情報とを含むチャンネル情報を記憶する記憶手段と、
前記記憶手段より記憶された前記チャンネル情報の前記選局識別情報に基づいて、選局可能なチャンネルの中からチャンネルを選局する選局手段と、
前記選局手段により選局されたチャンネルの放送信号を受信する受信手段と、
前記受信手段により受信される放送信号における所定のデータに基づいて、前記記憶手段により記憶された前記チャンネル情報における前記視聴識別情報を更新する更新手段と、
前記選局手段により選局されたチャンネルの番組コンテンツが視聴可能か否かを、前記視聴識別情報に基づいて判断する判断手段と、
前記判断手段により視聴不可能と判断された番組コンテンツのチャンネルについて、選局不可能とするか否かをユーザに選択させる選択手段と、
前記判断手段により前記視聴不可能と判断された番組コンテンツのチャンネルについて、前記選択手段により選局不可能とすると選択された場合に、前記記憶手段により記憶された前記チャンネル情報における当該チャンネルの前記選局識別情報を、選局可能から選局不可能に変更する変更手段と、
を備え、
前記変更手段は、前記更新手段により前記視聴識別情報が視聴可能と更新されたチャンネルについて、当該チャンネルの前記選局識別情報を選局不可能から選局可能に変更することを特徴とする放送受信装置。
【発明の詳細な説明】
【技術分野】
【０００１】
本発明は、放送受信装置に関する。
【背景技術】
【０００２】
近年、地上波や、衛星、ケーブル方式による各種デジタル放送の分野において、多チャンネル化が進んでいる。チャンネル数の増大は、視聴者のチャンネル選択の幅を広げるという利点をもたらす一方、チャンネル選択操作の煩雑化を招いている。
例えば、デジタル放送において、配信中のチャンネルのリストは、デジタル放送信号に多重化されて放送局から送信される。このリストには、視聴者が契約していない有料放送のチャンネル等の視聴不可能なチャンネルも含まれているため、視聴者は、所望のチャンネルを容易に探し出して選択することができず、また、視聴不可能なチャンネルを誤って選択してしまう等、チャンネル選択の操作性が非常に悪いという問題があった。
【０００３】
そこで、例えば、特許文献１には、視聴可能且つ受信品質が良好かどうかを判定し、視聴可能且つ受信品質の良いチャンネルを視聴可能チャンネルリストに登録する受信装置が提案されている。この受信装置では、ユーザがチャンネルを選局する際に、視聴可能チャンネルリストに登録されたチャンネルのみを選局させるため、放送停止等の視聴不可能なチャンネルや、受信品質の不良なチャンネルを選局することがなくなる。したがって、ユーザがスムーズに所望のチャンネルを選局することができ、また、選局したチャンネルを視聴できないことや、受信品質の不良なチャンネルを視聴することによる不快感を軽減させることができる。
また、特許文献２のディジタル放送受信装置は、有料放送のみから成るグループと無料放送のみから成るグループ、或いは、契約済み有料放送のみから成るグループと未契約有料放送のみから成るグループ等の多様なグループにグループ化し、グループごとに電子番組ガイド表示やチャンネルリスト表示を行う。これによれば、多チャンネルの放送の中から視聴者が視聴可能な番組を容易に選択することができる。
【特許文献１】特開２００６−２７０７７６号公報
【特許文献２】特開２００４−３３６５９５号公報
【発明の開示】
【発明が解決しようとする課題】
【０００４】
しかしながら、放送局は、契約者数の増加を図る目的で、未契約の視聴者に対して、有料放送の番組を一定期間に限って無料で提供する場合がある。ところが、上記特許文献１及び２では、未契約のチャンネルが選局可能なチャンネルのリストから一律に外されてしまうため、このように、契約者以外の視聴者が有料放送のチャンネルを無料で視聴できる場合であっても、未契約の視聴者はそのチャンネルを選局して視聴することができず、不利益が生じてしまう。
更に、ユーザが、ある有料放送のチャンネルを後から契約するため、未契約のままでチャンネルリストに残しておこうと考える場合がある。このような場合にも、上記特許文献１及び２では、そのチャンネルが未契約のチャンネルとして選局可能なチャンネルのリストから除外されてしまうため、ユーザにとって使い勝手が悪いという問題がある。
【０００５】
本発明の課題は、放送受信装置において、チャンネル選択の操作性の向上を図る一方で、未契約の有料チャンネルが一律に切り替え不可能となることを防止して、使い勝手を向上させることである。
【課題を解決するための手段】
【０００６】
上記課題を解決するため、請求項１に記載の発明は、放送受信装置において、チャンネル毎に選局可能か否かを識別する選局識別情報と視聴可能か否かを識別する視聴識別情報とを含むチャンネル情報を記憶する記憶手段と、
前記記憶手段より記憶された前記チャンネル情報の前記選局識別情報に基づいて、選局可能なチャンネルの中からチャンネルを選局する選局手段と、
前記選局手段により選局されたチャンネルの放送信号を受信する受信手段と、
前記選局手段により選局されたチャンネルの番組コンテンツが視聴可能か否かを、前記視聴識別情報に基づいて判断する判断手段と、
前記判断手段により視聴不可能と判断された番組コンテンツのチャンネルについて、選局不可能とするか否かをユーザに選択させる選択手段と、
前記判断手段により前記視聴不可能と判断された番組コンテンツのチャンネルについて、前記選択手段により選局不可能とすると選択された場合に、前記記憶手段により記憶された前記チャンネル情報における当該チャンネルの前記選局識別情報を、選局可能から選局不可能に変更する変更手段と、
を備えることを特徴とする。
【０００７】
請求項２に記載の発明は、請求項１に記載の放送受信装置において、前記受信手段により受信される放送信号における所定のデータに基づいて、前記記憶手段により記憶された前記チャンネル情報における前記視聴識別情報を更新する更新手段を備え、
前記変更手段は、前記更新手段により前記視聴識別情報が視聴可能と更新されたチャンネルについて、当該チャンネルの前記選局識別情報を選局不可能から選局可能に変更することを特徴とする。
【０００８】
請求項３に記載の発明は、チャンネル毎に選局可能か否かを識別する選局識別情報と視聴可能か否かを識別する視聴識別情報とを含むチャンネル情報を記憶する記憶手段と、
前記記憶手段より記憶された前記チャンネル情報の前記選局識別情報に基づいて、選局可能なチャンネルの中からチャンネルを選局する選局手段と、
前記選局手段により選局されたチャンネルの放送信号を受信する受信手段と、
前記受信手段により受信される放送信号における所定のデータに基づいて、前記記憶手段により記憶された前記チャンネル情報における前記視聴識別情報を更新する更新手段と、
前記選局手段により選局されたチャンネルの番組コンテンツが視聴可能か否かを、前記視聴識別情報に基づいて判断する判断手段と、
前記判断手段により視聴不可能と判断された番組コンテンツのチャンネルについて、選局不可能とするか否かをユーザに選択させる選択手段と、
前記判断手段により前記視聴不可能と判断された番組コンテンツのチャンネルについて、前記選択手段により選局不可能とすると選択された場合に、前記記憶手段により記憶された前記チャンネル情報における当該チャンネルの前記選局識別情報を、選局可能から選局不可能に変更する変更手段と、
を備え、
前記変更手段は、前記更新手段により前記視聴識別情報が視聴可能と更新されたチャンネルについて、当該チャンネルの前記選局識別情報を選局不可能から選局可能に変更することを特徴とする。
【発明の効果】
【０００９】
本発明によれば、記憶手段により、チャンネル毎に選局可能か否かを識別する選局識別情報と視聴可能か否かを識別する視聴識別情報とを含むチャンネル情報が記憶され、選局手段により、記憶手段より記憶されたチャンネル情報の選局識別情報に基づいて、選局可能なチャンネルの中からチャンネルが選局され、受信手段により、選局手段により選局されたチャンネルの放送信号が受信され、判断手段により、選局手段により選局されたチャンネルの番組コンテンツが視聴可能か否かが、視聴識別情報に基づいて判断され、選択手段により、判断手段により視聴不可能と判断された番組コンテンツのチャンネルについて、選局不可能とするか否かがユーザにより選択され、変更手段により、判断手段により視聴不可能と判断された番組コンテンツのチャンネルについて、選択手段により選局不可能とすると選択された場合に、記憶手段により記憶されたチャンネル情報における当該チャンネルの選局識別情報が、選局可能から選局不可能に変更される。
即ち、ユーザは、選局可能なチャンネルの中からのみチャンネルを選局することができるとともに、視聴不可能なチャンネルについて、そのチャンネルを選局不可能とするか否かを選択することができる。したがって、放送受信装置において、チャンネル選択の操作性が向上する一方で、未契約の有料チャンネルが一律に切り替え不可能となることを防止することができ、使い勝手が向上することとなる。
【発明を実施するための最良の形態】
【００１０】
以下、図面を参照しながら、本発明の実施の形態を詳細に説明する。
本実施形態では、例えば、ケーブルテレビジョン放送を受信する放送受信装置を例に挙げて説明する。
【００１１】
本実施形態の放送受信装置１００は、例えば、図１に示すように、ケーブル回線に接続され、ケーブルテレビジョン放送信号を受信する受信部１、スクランブルされた放送信号に対してデスクランブル処理を行うデスクランブラ部２、デコード処理を行うデコーダ部３、映像信号に対して所定の映像処理を行う映像処理部４、音声信号に対して所定の音声処理を行う音声処理部５、映像処理部４から映像出力部７に入力される映像信号にＯＳＤデータを付加するＯＳＤ回路６、映像処理部４から入力される映像信号に基づく映像を表示する映像出力部７、音声処理部５から入力される音声信号に基づく音声を出力する音声出力部８、ユーザが各種指示を受信装置本体に対して送信することにより、受信装置本体を操作するためのリモートコントローラ等を備えるキー入力部９、放送受信装置１００全体を統括制御する制御部１０等を備えて構成されている。
【００１２】
受信部１は、ケーブル回線に接続され、入力されるケーブルテレビジョン放送信号から、選択されたチャンネルの放送信号を受信し、所定の復調方式（例えば、64QAM： Quadrature Amplitude Modulation, 256QAM, 8VSB: Vestigial Side Band）による復調処理や、誤り訂正処理等を実行し、トランスポートストリーム（TS）を生成して、デスクランブラ部２に出力する。
【００１３】
デスクランブラ部２は、例えば、ＰＯＤ(Point of Deployment)カード２１等のＩＣカードと接続される。
放送局から送出される放送信号には、有料チャンネルの番組コンテンツにかけられたスクランブルを解除するための鍵情報や、契約者以外の視聴者が有料チャンネルを一定期間に限り無料で視聴するための無料視聴情報等を含む視聴契約情報（所定のデータ）が多重化されている。各放送受信装置は、デスクランブラ部２において、自身に割り当てられたＩＤ番号に基づいて、受信した視聴契約情報から、自己宛の鍵情報及び無料視聴情報を含む視聴契約情報を取得する。視聴契約情報は、例えば、ＥＭＭ（Entitlement Control Message）、ＥＣＭ（Entitlement Control Message）等であり、鍵情報としてのワーク鍵やスクランブル鍵の他、契約中の有料チャンネルを識別する情報や、契約者以外でも無料で視聴可能な有料チャンネルを識別する情報、この有料チャンネルを視聴可能な時間帯や視聴するための鍵等の情報が含まれる。
ＰＯＤカード２１では、受信した番組コンテンツがスクランブラされている場合に、予め個々の受信装置毎に設定されたマスタ鍵を用いて、受信したＥＭＭをデスクランブルすることによりワーク鍵を取得する。更に、このワーク鍵をＰＯＤカードに格納するとともに、このワーク鍵を用いてＥＣＭをデスクランブルし、これにより、ＴＳのスクランブルを解除するためのスクランブル鍵が生成される。
デスクランブラ部２は、受信部１から入力されるＴＳに対して、ＰＯＤカード２１から入力されるスクランブル鍵を用いたデスクランブル処理を行い、スクランブルが解除されたＴＳをデコーダ部３に出力する。
【００１４】
デコーダ部３は、例えば、分離部３１、ビデオデコーダ３２、オーディオデコーダ３３、データデコーダ３４等を備える。
【００１５】
分離部３１は、デスクランブラ部２から入力されるＴＳを複数のストリームに分離する。ＴＳは、例えば、ＭＰＥＧ−２  Ｓｙｓｔｅｍｓ方式でビデオデータ、オーディオデータ、番組関連情報（例えば、ＰＳＩＰ（Program and System Information Protocol））等のデータが多重化されている。
ＣＰＵ１０１は、番組関連情報に含まれる番組関連情報の各種テーブルを解析することにより、分離したストリームの中から必要なＴＳパケットを取得して、ビデオストリームをビデオデコーダ３２に、オーディオストリームをオーディオデコーダ３３に、ＰＳＩＰ等の番組関連情報をデータデコーダ３４に出力する。
【００１６】
ここで、例えば、放送信号としてのＴＳに多重化された番組関連情報には、前述の視聴契約情報が含まれている。ＣＰＵ１０１は、番組関連情報から視聴契約情報を取得すると、取得した視聴契約情報の中から自己宛の鍵情報や無料視聴情報等の視聴契約情報を抽出し、抽出した視聴契約情報に基づいて、チャンネルメモリ１０４のチャンネル情報１０４ａに格納される後述のＣＡ情報（視聴識別情報）を更新する。
【００１７】
ビデオデコーダ３２は、分離部３１から入力される所定の音声符号化方式（例えば、ＭＰＥＧ−2 Ｖｉｄｅｏ方式等）で圧縮されたビデオストリームをデコードする。具体的には、ビデオデコーダ３２は、ビデオストリームに、可変長復号化、逆量子化、逆ＤＣＴ、動き補正等の各種処理を行うことで、ビデオストリームを所定のタイミングでデコードし、映像データを生成して映像処理部４に出力する。
オーディオデコーダ３３は、分離部３１から入力される所定の音声符号化方式（例えば、Ｄｏｌｂｙ  ＡＣ−３方式等）で圧縮されたオーディオストリームをデコードし、音声データを生成して音声処理部５に出力する。
データデコーダ３４は、入力された番組関連情報等のデータをデコードし、制御部１０やＯＳＤ回路６等に出力する。制御部１０に入力された番組関連情報は図示しないＥＰＧメモリに格納され、ＥＰＧ情報としてユーザに提供されることとなる。
【００１８】
映像処理部４は、入力される映像データに対して各種映像処理を施し、映像信号を生成する。音声処理部５は、オーディオデコーダ３３から入力された音声データに対して、各種音声処理を施し、音声信号を生成する。生成された映像信号は映像出力部７に出力され、音声信号は音声出力部８に出力される。
【００１９】
ＯＳＤ回路６は、制御部１０からの指示出力に応じて、ＲＯＭ１０５に格納された図示しないＯＳＤデータを映像処理部４に入力される映像信号に合成する処理を行う。
【００２０】
映像出力部７は、例えば、ＬＣＤ（Liquid Crystal Display）、ＰＤＰ（Plasma Display Panel）等のディスプレイ７１を備え、映像処理部４から入力された映像信号に基づく映像を所定のタイミングでディスプレイ７１に表示させる。
音声出力部８は、例えば、スピーカ等を備え、音声処理部５から入力された音声信号に基づく音声をスピーカにより出力させる。
【００２１】
キー入力部９は、例えば、受信装置本体を遠隔操作するためのリモートコントローラであり、各種操作を行うためのキーを備えて構成されている。キー入力部９では、ユーザによるキーの押下操作に応じて、押下されたキーに対応するリモートコントロール信号（以下、リモコン信号という。）が出力されるようになっている。キー入力部９には、例えば、チャンネル切替操作を行うためのチャンネルアップ／ダウンキー（図示省略）等が備わる。
【００２２】
制御部１０は、ＣＰＵ（Central Processing Unit）１０１、計時部１０２、ＲＡＭ（Random Access Memory）１０３、記憶手段としてのチャンネルメモリ１０４、ＲＯＭ（Read Only Memory）１０５等を備えて構成されている。
【００２３】
ＣＰＵ１０１は、受信装置本体の各部から入力された入力信号や、キー入力部９におけるキー操作によって入力されたリモコン信号等に応じて、ＲＯＭ１０５に格納された各種プログラムを実行するとともに、実行にかかるプログラムに基づいて受信装置本体の各部に出力信号を出力することにより、放送受信装置１００の動作全般を統括制御する。
【００２４】
ＲＡＭ１０３は、ＣＰＵ１０１のワークエリアとして用いられ、ＣＰＵ１０１によって各種プログラムが実行される際に生じる処理結果や、入力されたデータ等を記憶する。
【００２５】
チャンネルメモリ１０４は、例えば、ＥＰＲＯＭ（Erasable Programmable ROM）等の不揮発性メモリから構成され、チャンネル情報１０４ａを記憶している。
図２は、チャンネルメモリ１０４に記憶されたチャンネル情報１０４ａを例示する図である。図２に示すように、チャンネル情報１０４ａは、各チャンネルの物理チャンネル（physical channel）、当該物理チャンネルに対応する仮想チャンネル（virtual channel, major channel）、サブチャンネル（sub channel, minor channel）を相互に対応づけて記憶している。
上記物理チャンネルは、受信部１が受信する放送信号の実際の周波数帯域に対応付けられたチャンネル番号である。各物理チャンネルは、例えば、６ＭＨｚの帯域幅の周波数に対応付けられている。また、デジタル放送における仮想チャンネルは、放送局やユーザの認識するチャンネル番号であり、各々が物理チャンネルに対応付けられている。更に、デジタル放送における各仮想チャンネルは、論理チャンネルであるサブチャンネルを複数含むことができる。
【００２６】
また、チャンネル情報１０４ａは、各チャンネルのＣＡ情報（視聴識別情報）及びリスト有効／無効情報（選局識別情報）を記憶している。
【００２７】
ＣＡ（Conditional Access）情報（視聴識別情報）は、各チャンネルが視聴可能か否かを識別するための情報である。具体的には、ＣＡ情報は、視聴契約状況やリスト有効／無効情報（後述）等に関わらず、各チャンネルの番組コンテンツが、本放送受信装置１００において、視聴可能であるか（例えば、「可」）、又は、視聴不可能であるか（例えば、「不可」）を示す。ＣＡ情報は、例えば、放送局から放送信号に多重化されて送出される視聴契約情報（所定のデータ）に基づいて更新される。
【００２８】
リスト有効／無効情報（選局識別情報）は、各チャンネルが選局可能か否かを識別するための情報である。具体的には、リスト有効／無効情報は、チャンネル切替操作において、そのチャンネルに切り替えるか（例えば、「有効」）、又は、切り替えずにスキップするか（例えば、「無効」）を示す。即ち、チャンネル切替操作が行われた際に、リスト有効／無効情報が「リスト無効（選局不可能）」のチャンネルは、切り替えられずにスキップされ、リスト有効／無効情報が「リスト有効（選局可能）」のチャンネルのみに切り替えられることとなる。
【００２９】
即ち、ユーザは、視聴する可能性の無いチャンネルのリスト有効／無効情報を「リスト無効（選局不可能）」として、「リスト有効（選局可能）」のチャンネルから除外しておくことにより、残りの「リスト有効（選局可能）」のチャンネル（即ち、視聴する可能性のあるチャンネル）の中から、チャンネルを切り替えることができる。したがって、切り替え可能なチャンネルの総数が減って、チャンネル切替操作が容易化且つ短縮化され、チャンネル切替操作の操作性が向上することとなる。また、視聴する可能性の無いチャンネルに切り替えられることによるユーザの不快感や、チャンネル切替操作の煩雑化を防止することができる。
また、ユーザは、未契約のチャンネルであっても、リスト有効／無効情報を「リスト有効（選局可能）」としておくことにより、そのチャンネルを未契約のままで、チャンネル切替可能なチャンネルとしてチャンネル情報１０４ａに残しておくことができる。したがって、後から視聴契約を行う予定のチャンネルや、一定期間に限って契約者以外の視聴者に対して有料番組が無料で提供されるチャンネル等を、選局可能なチャンネルとして、通常のチャンネル切替操作で切り替えることができ、放送受信装置１００の使い勝手が向上することとなる。
【００３０】
また、チャンネル情報１０４ａは、各チャンネルのリスト有効／無効（即ち、選局可能なチャンネルとするか／選局不可能なチャンネルとするか）が、ユーザにより「確認済み」であるか、又は、「未確認」であるかを示す確認情報を記憶している。
【００３１】
更に、チャンネル情報１０４ａは、確認情報が「確認済み」のチャンネルであって、更新前のＣＡ情報が「視聴不可能」、且つ、自動変更前のリスト有効／無効情報が「リスト無効（選局不可能）」であるチャンネルについて、上述したように、ＣＡ情報が「視聴不可能」から「視聴可能」と更新され、リスト有効情報が「リスト無効」から「リスト有効」と自動的に変更された場合に、このチャンネルについてのフラグ情報を「オン」とすることにより記憶するフラグレジスタ（図示省略）と対応付けられている。即ち、チャンネル情報１０４ａと対応付けられたフラグレジスタにより、ＣＡ情報の更新に合わせて、リスト有効／無効情報が、自動的に「リスト無効（選局不可能）」から「リスト有効（選局可能）」に変更されたチャンネルが記憶されることとなる。
【００３２】
ＲＯＭ１０５は、プログラム格納エリアを備え、例えば、選局プログラム１０５ａ、受信プログラム１０５ｂ、更新プログラム１０５ｃ、判断プログラム１０５ｄ、選択プログラム１０５ｅ、変更プログラム１０５ｆ等を格納している。
【００３３】
選局プログラム１０５ａは、例えば、ＣＰＵ１０１に、チャンネルメモリ１０４（記憶手段）により記憶されたチャンネル情報１０４ａのリスト有効／無効情報（選局識別情報）に基づいて、選局可能なチャンネルの中からチャンネルを選局する機能を実現させるためのプログラムである。
具体的には、ＣＰＵ１０１は、キー入力部９において行われるチャンネル切替操作に基づいて、チャンネル情報１０４ａに記憶されたチャンネルの中から、リスト有効／無効情報が「リスト有効（選局可能）」のチャンネルを順次選局する。
ＣＰＵ１０１は、かかる選局プログラム１０５ａを実行することにより、選局手段として機能する。
【００３４】
受信プログラム１０５ｂは、例えば、ＣＰＵ１０１に、選局プログラム１０５ａの実行により選局されたチャンネルの放送信号を受信する機能を実現させるためのプログラムである。
具体的には、ＣＰＵ１０１は、前述の選局プログラム１０５ａの実行により選局可能なチャンネルとして選局され、後述する判断プログラム１０５ｄの実行により視聴可能と判断されたチャンネルについて、そのチャンネルの放送信号を受信部１に受信させる。
また、ＣＰＵ１０１は、前述の選局プログラム１０５ａの実行により選局可能なチャンネルとして選局され、後述する判断プログラム１０５ｄの実行において視聴不可能である判断されたチャンネルについて、リスト有効／無効の確認情報が「確認済み」である場合に、図３に示すように、ディスプレイ７１にこのチャンネルの番組コンテンツが未契約等の何らかの理由により視聴不可能である旨をユーザに報知するための報知画面を表示させる。
なお、ＣＰＵ１０１は、判断プログラム１０５ｄの実行において視聴不可能であると判断されたチャンネルであっても、受信部１にそのチャンネルの放送信号の受信を試行させ、放送信号の有無を判断して、実際にそのチャンネルが視聴不可能である場合にのみ、図３の報知画面を表示させても良い。
ＣＰＵ１０１は、かかる受信プログラム１０５ｂを実行することにより、受信部１とともに受信手段として機能する。
【００３５】
ここで、選局プログラム１０５ａの実行により選局可能なチャンネルとして選局され、後述する判断プログラム１０５ｄの実行において視聴不可能である判断されたチャンネルについて、リスト有効／無効の確認情報が「未確認」である場合には、そのチャンネルは受信プログラム１０５ｂの対象では無く、後述する選択プログラム１０５ｅの対象となる。
【００３６】
更新プログラム１０５ｃは、例えば、ＣＰＵ１０１に、受信プログラム１０５ｂの実行により受信される放送信号における所定のデータに基づいて、チャンネルメモリ１０４（記憶手段）により記憶されたチャンネル情報１０４ａにおけるＣＡ情報（視聴識別情報）を更新する機能を実現させるためのプログラムである。
具体的には、ＣＰＵ１０１は、受信プログラム１０５ｂの実行において受信部１により受信される放送信号から、視聴契約情報（所定のデータ）を取得し、取得した視聴契約情報に基づいて、チャンネル情報１０４ａのＣＡ情報を更新する。
ＣＰＵ１０１は、かかる更新プログラム１０５ｃを実行することにより、更新手段として機能する。
【００３７】
なお、放送信号における所定のデータは、放送局が放送信号とともに送出する視聴契約情報に限られない。例えば、受信部１に放送信号を実際に受信させ、受信部１により受信される放送信号が、視聴可能な放送信号であるか否かの判断に基づいて、ＣＡ情報を更新しても良い。例えば、ＰＯＤカード２１からスクランブルを解除するための正規の鍵情報が入力される場合や、放送信号がスクランブルされていない場合、デコード処理が可能である場合等に、視聴可能であると判断される。
【００３８】
判断プログラム１０５ｄは、例えば、ＣＰＵ１０１に、選局プログラム１０５ａの実行により選局されたチャンネルの番組コンテンツが視聴可能か否かを、ＣＡ情報（視聴識別情報）に基づいて判断する機能を実現させるためのプログラムである。
具体的には、ＣＰＵ１０１は、前述の選局プログラム１０５ａの実行により選局可能なチャンネルとして選択されたチャンネルの番組コンテンツが視聴可能であるか否かを、そのチャンネルのＣＡ情報に基づいて判断する。
ＣＰＵ１０１は、かかる判断プログラム１０５ｄを実行することにより、判断手段として機能する。
【００３９】
選択プログラム１０５ｅは、例えば、ＣＰＵ１０１に、判断プログラム１０５ｄの実行により視聴不可能と判断された番組コンテンツのチャンネルについて、選局不可能とするか否かをユーザに選択させる機能を実現させるためのプログラムである。
具体的には、ＣＰＵ１０１は、前述の選局プログラム１０５ａの実行により選局可能なチャンネルとして選局され、前述の判断プログラム１０５ｄの実行により、視聴不可能であると判断されたチャンネルについて、リスト有効／無効の確認情報が「未確認」である場合に、図４に例示する選択画面を表示させ、このチャンネルを「リスト無効」のチャンネル（即ち、選局不可能なチャンネル）として、「リスト有効（選局可能）」のチャンネル（即ち、選局可能なチャンネル）から除外するか否かをユーザに選択させる。
ＣＰＵ１０１は、かかる選択プログラム１０５ｅを実行することにより、キー入力とともに選択手段として機能する。
【００４０】
変更プログラム１０５ｆは、例えば、ＣＰＵ１０１に、判断プログラム１０５ｄの実行により視聴不可能と判断された番組コンテンツのチャンネルについて、選択プログラム１０５ｅの実行により選局不可能とすると選択された場合に、チャンネルメモリ１０４（記憶手段）により記憶されたチャンネル情報１０４ａにおける当該チャンネルのリスト有効／無効情報（選局識別情報）を、選局可能から選局不可能に変更する機能を実現させるためのプログラムである。
具体的には、ＣＰＵ１０１は、前述の選択プログラム１０５ｅの実行において、ユーザが選択画面（図４参照）上でキー操作を行い、視聴不可能なチャンネルを「リスト無効（選局不可能）」とする旨を選択した場合に、当該チャンネルのリスト有効／無効情報を「リスト有効（選局可能）」から「リスト無効（選局不可能）」に変更する。
【００４１】
また、変更プログラム１０５ｆは、ＣＰＵ１０１に、更新プログラム１０５ｃの実行により、ＣＡ情報（視聴識別情報）が視聴可能と更新されたチャンネルについて、当該チャンネルのリスト有効／無効情報（選局識別情報）を、選局不可能から選局可能に変更する機能を実現させる。
具体的には、ＣＰＵ１０１は、前述の更新プログラム１０５ｃの実行において、ＣＡ情報が「視聴不可能」から「視聴可能」に更新されたチャンネルであって、且つ、リスト有効／無効情報が「リスト無効（選局不可能）」であるチャンネルが存在すると、そのチャンネルのリスト有効／無効情報を、ＣＡ情報の更新に合わせて、「リスト無効（選局不可能）」から「リスト有効（選局可能）」に変更する。
ＣＰＵ１０１は、かかる変更プログラム１０５ｆを実行することにより、変更手段として機能する。
【００４２】
さらに、ＣＰＵ１０１は、前述の更新プログラム１０５ｃの実行において、ＣＡ情報が「視聴可能」から「視聴不可能」に更新されたチャンネルであって、前述のフラグ情報が「オン」であるチャンネルが存在すると、このチャンネルを、「ＣＡ情報の更新に応じて、リスト有効／無効情報が自動的に「リスト無効」から「リスト有効」に変更されたチャンネル」であると判別し、ＣＡ情報の「視聴可能」から「視聴不可能」への更新に合わせて、このチャンネルのリスト有効情報を、再び、「リスト有効」から「リスト無効」に変更する。
【００４３】
次に、図５のフローチャートを参照しながら、上述の各プログラムの実行によるチャンネル切替処理について説明する。
【００４４】
まず、ステップＳ１において、ユーザが、キー入力部９のチャンネルアップ／ダウンキー等を用いたチャンネル切替操作を行う。すると、ＣＰＵ１０１は、ステップＳ２において、制御部１０に入力されるリモコン信号に基づいて、チャンネルメモリ１０４に記憶されたチャンネル情報１０４ａにおけるポインタのインデックス番号（Index #）を１つ増やす。
【００４５】
ステップＳ３において、ＣＰＵ１０１は、受信部１により受信された放送信号から抽出される視聴契約情報に基づいて、ＣＡ情報（視聴識別情報）の確認及び更新を行う。そして、続くステップＳ４において、ステップＳ３におけるＣＡ情報（視聴識別情報）の更新に応じて、リスト有効/無効情報（選局識別情報）を更新する。
具体的には、ＣＰＵ１０１は、ステップＳ４において、ＣＡ情報が「視聴不可能」から「視聴可能」に変更されたチャンネルであって、リスト有効／無効情報が「リスト無効（選局不可能）」のチャンネルが存在する場合に、更新されたＣＡ情報に合わせて、そのチャンネルのリスト有効／無効情報を「リスト無効」から「リスト有効」に変更する。さらに、当該チャンネル（即ち、ＣＡ情報の更新に合わせてリスト有効／無効情報が「リスト無効」から「リスト有効」に変更されたチャンネル）のうち、確認情報が「確認済み」のチャンネルについて、そのフラグ情報を「オン」とする。
また、ＣＰＵ１０１は、ステップＳ４において、フラグ情報が「オン」であるチャンネルであって、ＣＡ情報が「視聴可能」から「視聴不可能」に更新されたチャンネルが存在する場合に、そのチャンネルを「ＣＡ情報（視聴識別情報）の更新に応じて、リスト有効／無効情報（選局識別情報）が、自動的に「リスト無効」から「リスト有効」に変更されたチャンネル」であると判別し、ＣＡ情報の更新に合わせて、このチャンネルのリスト有効情報を、「リスト有効」から「リスト無効」に変更する。
【００４６】
ここで、図２のチャンネル情報１０４ａを参照しながら、ステップＳ３、Ｓ４の処理の具体例について説明する。例えば、図２のチャンネル情報１０４ａにおけるインデックス番号「１」及び「７」のチャンネルは、ＣＡ情報が「視聴不可能」、リスト有効／無効情報が「リスト無効（選局不可能）」のチャンネルである。このチャンネルについて、ステップＳ３において、ＣＡ情報が「視聴不可能」から「視聴可能」と更新された場合、ステップＳ４において、ＣＰＵ１０１は、このチャンネルのリスト有効／無効情報を「リスト無効（選局不可能）」から「リスト有効（選局可能）」に変更する。また、ＣＰＵ１０１は、当該チャンネル（即ち、ＣＡ情報の更新に合わせてリスト有効／無効情報が自動的に「リスト無効」から「リスト有効」に変更されたチャンネル）のうち、確認情報が「確認済み」であるチャンネル（例えば、インデックス番号「７」のチャンネル）を、そのフラグ情報を「オン」とすることにより記憶する。
さらに、例えば、図示は省略するが、図２のチャンネル情報１０４ａにおけるインデックス番号「２」のチャンネルのフラグ情報は「オン」であるとする。フラグ情報が「オン」である当該チャンネルについて、ステップＳ３において、ＣＡ情報が「視聴可能」から「視聴不可能」に更新された場合、ステップＳ４において、ＣＰＵ１０１は、このチャンネルを「ＣＡ情報の更新に応じて、リスト有効／無効情報が自動的に「リスト無効」から「リスト有効」に変更されたチャンネル」であると判別し、ＣＡ情報の「視聴可能」から「視聴不可能」への更新に合わせて、このチャンネルのリスト有効情報を、「リスト有効」から「リスト無効」に変更する。
【００４７】
続くステップＳ５において、ＣＰＵ１０１は、リスト有効／無効情報（選局識別情報）に基づいて、そのチャンネルが「リスト有効（選局可能）」であるか否かを判断する。ＣＰＵ１０１は、ステップＳ５において、「リスト有効（選局可能）」であると判断すると（ステップＳ５；Ｙｅｓ）、ステップＳ６に進み、「リスト有効（選局可能）」でないと判断すると（ステップＳ５；Ｎｏ）、ステップＳ２に戻る。
【００４８】
ここで、図２のチャンネル情報１０４ａを参照しながら、ステップＳ５の処理の具体例について説明する。ＣＰＵ１０１は、ステップＳ５において、例えば、図２のチャンネル情報１０４ａにおけるインデックス番号「２」〜「８」のチャンネルのうち、インデックス番号「２」〜「５」のチャンネルを「リスト有効」であると判断し、インデックス番号「６」〜「８」のチャンネルを「リスト無効」であると判断する。
【００４９】
続くステップＳ６において、ＣＰＵ１０１は、ＣＡ情報（視聴識別情報）に基づいて、そのチャンネルが視聴可能であるか否かを判断する。ＣＰＵ１０１は、ステップＳ６において、視聴可能であると判断すると（ステップＳ６；Ｙｅｓ）、ステップＳ７に進み、視聴不可能であると判断すると（ステップＳ６；Ｎｏ）、ステップＳ１０に進む。
【００５０】
ここで、図２のチャンネル情報１０４ａを参照しながら、ステップＳ６の処理の具体例について説明する。ＣＰＵ１０１は、ステップＳ６において、例えば、図２のチャンネル情報１０４ａにおけるインデックス番号「２」〜「５」のチャンネルのうち、インデックス番号「２」及び「３」のチャンネルを「視聴可能」であると判断し、インデックス番号「４」及び「５」のチャンネルを「視聴不可能」であると判断する。
【００５１】
続くステップＳ７において、ＣＰＵ１０１は、受信部１にそのチャンネルの受信処理を行わせ、放送信号が有るか否かを判断する。ＣＰＵ１０１は、ステップＳ７において、放送信号が有ると判断すると（ステップＳ７；Ｙｅｓ）、ステップＳ８に進み、放送信号が無いと判断すると（ステップＳ７；Ｎｏ）、ステップＳ９に進む。
ステップＳ８において、ＣＰＵ１０１は、受信部１に通常の受信処理を行わせて、受信した放送信号に基づく番組コンテンツの提供を行い、本処理を終了する。
ステップＳ９において、ＣＰＵ１０１は、映像出力部７のディスプレイ７１に、視聴が不可能である旨を報知する報知画面（図３参照）を表示させ、本処理を終了する。
【００５２】
ステップＳ１０において、ＣＰＵ１０１は、そのチャンネルのリスト有効／無効の確認情報が「確認済み」であるか否かを判断する。ＣＰＵ１０１は、ステップＳ１０において、確認情報が「確認済み」であると判断すると（ステップＳ１０；Ｙｅｓ）、ステップＳ７に進み、一方、「未確認」であると判断すると（ステップＳ１０；Ｎｏ）、ステップＳ１１に進む。
【００５３】
ここで、図２のチャンネル情報１０４ａを参照しながら、ステップＳ１０の処理の具体例について説明する。ＣＰＵ１０１は、ステップＳ１０において、例えば、図２のチャンネル情報１０４ａにおけるインデックス番号「４」及び「５」のチャンネルのうち、インデックス番号「４」のチャンネルを確認情報が「確認済み」であると判断し、インデックス番号「５」のチャンネルを確認情報が「未確認」であると判断する。
【００５４】
続くステップＳ１１において、ＣＰＵ１０１は、視聴不可能であると判断したチャンネルを、「リスト無効（選局不可能）」とするか否かをユーザに選択させる選択画面（図４参照）を映像出力部７のディスプレイ７１に表示させる。
ステップＳ１２において、ＣＰＵ１０１は、ステップＳ１１の選択画面において、ユーザにより、「リスト無効（選局不可能）」に変更する旨が選択されたか否かを判断する。ＣＰＵ１０１は、ステップＳ１２において、「リスト無効（選局不可能）」が選択されたと判断すると（ステップＳ１２；Ｙｅｓ）、ステップＳ１３に進み、「リスト無効（選局不可能）」が選択されないと判断すると（ステップＳ１２；Ｎｏ）、ステップＳ１４に進む。
ステップＳ１３において、ＣＰＵ１０１は、そのチャンネルのリスト有効／無効情報を「リスト有効（選局可能）」から「リスト無効（選局不可能）」に変更して、ステップＳ１３に進む。
ステップＳ１４において、ＣＰＵ１０１は、リスト有効／無効の確認情報を「未確認」から「確認済み」に変更し、本処理を終了する。
【００５５】
ここで、図２のチャンネル情報１０４ａを参照しながら、ステップＳ１２〜Ｓ１４の処理の具体例について説明する。例えば、図２のチャンネル情報１０４ａにおけるインデックス番号「５」のチャンネルは、ＣＡ情報が「視聴不可能」、リスト有効／無効情報が「リスト有効」、確認情報が「未確認」のチャンネルである。このチャンネルについて、ステップＳ１２において、例えば、ユーザが「リスト無効」とすると選択した場合、ＣＰＵ１０１は、ステップＳ１３において、そのチャンネルのリスト有効／無効情報を、「リスト有効」から「リスト無効」に変更し、ステップＳ１４において、そのチャンネルの確認情報を「未確認」から「確認済み」に変更する。一方、ステップＳ１２において、インデックス番号「２」のチャンネルについて、例えば、ユーザが「リスト無効」とすると選択しない場合、ＣＰＵ１０１は、そのチャンネルのリスト有効／無効情報を「リスト有効」のままとして変更せず、ステップＳ１４において、そのチャンネルの確認情報を「未確認」から「確認済み」に変更する。
【００５６】
以上説明した本実施形態における放送受信装置１００によれば、チャンネルメモリ１０４（記憶手段）により、チャンネル毎に選局可能か否かを識別するリスト有効／無効情報（選局識別情報）と視聴可能か否かを識別するＣＡ情報（視聴識別情報）とを含むチャンネル情報１０４ａが記憶され、ＣＰＵ１０１による選局プログラム１０５ａ（選局手段）の実行により、チャンネルメモリ１０４（記憶手段）より記憶されたチャンネル情報１０４ａのリスト有効／無効情報（選局識別情報）に基づいて、選局可能なチャンネルの中からチャンネルが選局され、受信プログラム１０５ｂ（受信手段）の実行により、選局プログラム１０５ａ（選局手段）により選局されたチャンネルの放送信号が受信され、更新プログラム１０５ｃ（更新手段）の実行により、受信プログラム１０５ｂ（受信手段）により受信される放送信号における所定のデータに基づいて、チャンネルメモリ１０４（記憶手段）により記憶されたチャンネル情報１０４ａにおけるＣＡ情報（視聴識別情報）が更新され、判断プログラム１０５ｄ（判断手段）の実行により、選局プログラム１０５ａ（選局手段）により選局されたチャンネルの番組コンテンツが視聴可能か否かが、ＣＡ情報（視聴識別情報）に基づいて判断され、選択プログラム１０５ｅ（選択手段）の実行により、判断プログラム１０５ｄ（判断手段）により視聴不可能と判断された番組コンテンツのチャンネルについて、選局不可能とするか否かがユーザにより選択され、変更プログラム１０５ｆ（変更手段）の実行により、判断プログラム１０５ｄ（判断手段）により視聴不可能と判断された番組コンテンツのチャンネルについて、選択プログラム１０５ｅ（選択手段）により選局不可能とすると選択された場合に、チャンネルメモリ１０４（記憶手段）により記憶されたチャンネル情報１０４ａにおける当該チャンネルのリスト有効／無効情報（選局識別情報）が、選局可能から選局不可能に変更される。また、変更プログラム１０５ｆ（変更手段）の実行により、更新プログラム１０５ｃ（更新手段）によりＣＡ情報（視聴識別情報）が視聴可能と更新されたチャンネルについて、当該チャンネルのリスト有効／無効情報（選局識別情報）が、選局不可能から選局可能に変更される。
したがって、放送受信装置１００において、選局不可能なチャンネルを除く選局可能なチャンネルの中から、チャンネルが選局できることとなるため、チャンネル選択の操作性が向上する。また、視聴不可能なチャンネルについて、そのチャンネルを選局不可能とするか否かをユーザが選択することができるため、未契約の有料チャンネルが一律に切り替え不可能となることを防止することができ、使い勝手が向上する。
【００５７】
具体的には、ユーザは、視聴する可能性の無いチャンネルの選局識別情報を選局不可能として、選局可能なチャンネルから除外しておくことにより、視聴する可能性のあるチャンネルの中からチャンネルを切り替えることができる。したがって、チャンネル切替操作により切り替え可能なチャンネルの総数が減ることとなって、チャンネル切替操作が容易化且つ短縮化され、チャンネル切替操作の操作性が向上することとなる。また、視聴する可能性の無いチャンネルに切り替えられることによるユーザの不快感や、チャンネル切替操作の煩雑化を防止することができる。
また、ユーザは、未契約のチャンネルであっても、選局識別情報を選局可能としておくことにより、そのチャンネルを未契約のままでチャンネル情報１０４ａに残しておくことができる。したがって、未契約の有料チャンネルが一律に切り替え不可能となることを防止することができるとともに、後から視聴契約を行う予定のチャンネルや、一定期間に限って契約者以外の視聴者に対して有料番組が無料で提供されるチャンネル等を、選局可能なチャンネルとして、通常のチャンネル切替操作で切り替えることができ、放送受信装置１００の使い勝手が向上することとなる。
【００５８】
また、変更プログラム１０５ｆの実行により、更新プログラム１０５ｃの実行によりチャンネル情報１０４ａにおける視聴識別情報が更新され、視聴識別情報が視聴可能と更新されたチャンネルについて、当該チャンネルの選局識別情報が選局不可能から選局可能に変更される。
即ち、選局識別情報が選局不可能なチャンネルについて、視聴識別情報が視聴不可能から視聴可能と更新された場合に、選局識別情報が自動的に選局不可能から選局可能と変更され、チャンネル切替操作による切り替えが可能となる。したがって、選局識別情報が選局不可能であるチャンネルは、当該チャンネルが視聴不可能から視聴可能となった場合に、選局不可能なチャンネルから選局可能なチャンネルに自動的に変更されて、チャンネル切替操作による切り替えが可能となる。よって、ユーザにとって更に使い勝手の良いものとなる。
【００５９】
更に、チャンネルメモリ１０４のチャンネル情報１０４ａにおいて、各チャンネルのリスト有効／無効（即ち、選局可能なチャンネルとするか／選局不可能なチャンネルとするか）が、ユーザにより「確認済み」であるか、又は、「未確認」であるかを示す確認情報が記憶され、更に、チャンネル情報１０４ａは、視聴識別情報の更新に合わせて、選局識別情報が、自動的に選局不可能から選局可能に変更されたチャンネルを記憶するフラグレジスタと対応付けられている。そして、変更プログラム１０５ｆの実行により、フラグレジスタにおけるフラグ情報が「オン」である当該チャンネルについて、更新プログラム１０５ｃの実行により視聴識別情報が視聴可能から視聴不可能に更新された場合に、当該チャンネルの選局識別情報が選局可能から選局不可能に変更される。
即ち、選局識別情報が選局不可能なチャンネルについて、視聴識別情報が視聴不可能から視聴可能に更新され、当該更新に応じて、選局識別情報が自動的に選局不可能から選局可能に変更されることにより、チャンネル切替操作による切り替えが可能となったチャンネルは、当該チャンネルが、再び視聴不可能なチャンネルに戻った場合に、その選局識別情報が選局可能から選局不可能なチャンネルに自動的に変更されて、再び、チャンネル切替操作による切り替えが不可能となる。したがって、更新前の視聴識別情報が視聴不可能であり、且つ、視聴識別情報の更新に応じて自動的に変更される前の選局識別情報が選局不可能であるチャンネルについて、ユーザは、当該チャンネルの確認情報を確認済みとすることにより、そのチャンネルが視聴可能な間だけ、チャンネル切替操作により切り替えることができ、そのチャンネルが視聴不可能な間は、切り替え可能なチャンネルから除外して切り替え不可能とすることができる。よって、ユーザは、所望のチャンネルを、視聴可能な間のみ切り替え可能なチャンネルとすることができ、放送受信装置１００の使い勝手が非常に良いものとなる。
【００６０】
なお、本発明の範囲は、本実施形態で例示した形態に限られることなく、発明の趣旨を逸脱しない範囲において種々の改良並びに設計の変更を行っても良い。
【００６１】
例えば、本実施形態では、チャンネル情報に選局可能／選局不可能の確認情報を設け、確認情報が「未確認」である場合にのみ、選択手段により、選局不可能とするか否かをユーザに選択させる構成とした。しかしながら、チャンネル情報に確認情報を設けずに、判断手段により視聴不可能であると判断されたチャンネルは全て、選択手段による選局不可能とするか否かの選択の対象としても良い。
また、確認情報を設けず、常に、視聴識別情報の更新に応じて、選局識別情報が自動的に変更されるように構成しても良い。或いは、視聴識別情報が更新された場合であっても、選局識別情報が変更されないように構成しても良い。
また、例えば、チャンネル情報は、ＯＳＤ画面において編集可能であっても良い。これにより、各ユーザは、チャンネル情報の各項目（視聴識別情報、選局識別情報、確認情報等）を任意のタイミングで自在に変更して、独自にチャンネル情報を編集することができ、チャンネル情報を、それぞれのユーザにとって常時最適なものとすることができる。
また、チャンネル情報は、本実施形態において例示したチャンネル情報１０４ａの形態に限られず、例えば、各チャンネルの契約情報を記憶するものであっても良い。
また、視聴識別情報の更新に合わせて、リスト有効／無効情報が自動的に選局不可能から選局可能に変更されたチャンネルを記憶するフラグ情報は、視聴識別情報が再び視聴可能から視聴不可能に更新され、選局識別情報が自動的に選局可能から選局不可能に戻った場合に「オフ」にリセットされても良い。
【図面の簡単な説明】
【００６２】
【図１】本発明を適用した本実施形態における放送受信装置の要部構成を例示するブロック図である。
【図２】チャンネルメモリに記憶されるチャンネル情報を例示する図である。
【図３】視聴不可能である旨をユーザに報知するための報知画面を例示する図である。
【図４】視聴不可能と判断されたチャンネルを、選局不可能とするか否かをユーザに選択させるための選択画面を例示する図である。
【図５】チャンネル切替処理を示すフローチャートである。
【符号の説明】
【００６３】
１００      放送受信装置
１          受信部（受信手段）
９          キー入力部（選択手段）
１０１      ＣＰＵ（選局手段、受信手段、更新手段、判断手段、選択手段、変更手段）
１０４      チャンネルメモリ（記憶手段）
１０４ａ    チャンネル情報
１０５ａ    選局プログラム（選局手段）
１０５ｂ    受信プログラム（受信手段）
１０５ｃ    更新プログラム（更新手段）
１０５ｄ    判断プログラム（判断手段）
１０５ｅ    選択プログラム（選択手段）
１０５ｆ    変更プログラム（変更手段）
【図１】
2009141422.tif 000003
【図２】
2009141422.tif 000004
【図３】
2009141422.tif 000005
【図４】
2009141422.tif 000006
【図５】
2009141422.tif 000007